(57)【要約】【課題】  手ぶれの発生を防止することのできるデジタルカメラ及びデジタルカメラの制御方法を得る。【解決手段】  ＣＰＵ３２により、撮影によって取得されて記録メディア４２Ａに記録された被写体像を示すデジタル画像データに基づいて、前記被写体像の所定領域を所定倍率で拡大した拡大画像を示すデジタル画像データを生成し、生成したデジタル画像データにより示される拡大画像をＬＣＤ（液晶ディスプレイ）３０によって表示し、表示した前記拡大画像に対する参照結果に応じて再度撮影を行うか否かを指示する指示情報を操作部５６を介して入力させ、入力された前記指示情報が再度撮影を行うことを指示するものである場合に撮影時におけるシャッター速度を所定速度だけ速くするように制御する。【選択図】        図２
2005086744.tif 000002
【特許請求の範囲】
【請求項１】
撮影によって取得された被写体像を示す画像情報が記録された記録媒体と、
前記被写体像の所定領域を所定倍率で拡大した拡大画像を示す拡大画像情報を前記画像情報に基づいて生成する生成手段と、
前記拡大画像情報により示される拡大画像を表示する表示手段と、
前記表示手段により表示された拡大画像に対する参照結果に応じて再度撮影を行うか否かを指示する指示情報を入力する指示入力手段と、
前記指示情報が再度撮影を行うことを指示するものである場合に撮影時におけるシャッター速度を所定速度だけ速くするように制御する制御手段と、
を備えたデジタルカメラ。
【請求項２】
前記制御手段は、前記指示情報が再度撮影を行うことを指示するものである場合に、更に、前記画像情報を前記記録媒体から消去するように制御する
請求項１記載のデジタルカメラ。
【請求項３】
前記制御手段は、前記指示情報が再度撮影を行うことを指示するものである場合に、更に、シャッター優先自動露出モードへ移行するように制御する
請求項１又は請求項２記載のデジタルカメラ。
【請求項４】
前記画像情報を、予め設定された合焦領域を対象として合焦制御が行われて取得されたものとし、
前記所定領域を、前記合焦領域の一部又は全部を含む領域とした
請求項１乃至請求項３の何れか１項記載のデジタルカメラ。
【請求項５】
撮影によって取得されて記録媒体に記録された被写体像を示す画像情報に基づいて、前記被写体像の所定領域を所定倍率で拡大した拡大画像を示す拡大画像情報を生成し、
生成した前記拡大画像情報により示される拡大画像を表示し、
表示した前記拡大画像に対する参照結果に応じて再度撮影を行うか否かを指示する指示情報を入力させ、
入力された前記指示情報が再度撮影を行うことを指示するものである場合に撮影時におけるシャッター速度を所定速度だけ速くするように制御する、
デジタルカメラの制御方法。
【発明の詳細な説明】
【技術分野】
【０００１】
本発明は、デジタルカメラ及びデジタルカメラの制御方法に係り、特に、液晶ディスプレイ等の表示手段が備えられたデジタルカメラ及び当該デジタルカメラの制御方法に関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタル電子スチルカメラやデジタルビデオカメラ等のデジタルカメラの需要が急増している。
【０００３】
ところで、このようなデジタルカメラでは、シャッター速度が遅くなるほど手ぶれが発生しやすくなるため、撮影時に手ぶれ警告を報知する機能を有するカメラも多数製品化されている。
【０００４】
しかしながら、当該機能を有するデジタルカメラであっても手ぶれが生じることはあるため、撮影時に手ぶれが生じたか否かを簡易に確認するための技術が要望されている。
【０００５】
なお、近年のデジタルカメラには、撮影時や再生時に被写体像を表示するための液晶ディスプレイ（以下、「ＬＣＤ」という。）が設けられているものが多いため、この種のデジタルカメラでは、撮影された被写体像をＬＣＤに再生表示し、当該被写体像の状態を参照することによって手ぶれが生じたか否かを確認することもできる。
【０００６】
しかしながら、通常、ＬＣＤの解像度は撮影された被写体像の解像度より低いため、当該被写体像をＬＣＤに表示する際には被写体像を構成する画素を各解像度間の差に応じた割合で間引いて表示する必要があり、上記の被写体像をＬＣＤに再生表示する方法では、手ぶれの状態を充分には確認できない、という問題があった。
【０００７】
そこで、この問題を解決するために適用できる従来の技術として、特許文献１には、記録画像の焦点が合っているか否かを確実に確認できるようにすることを目的として、画像記録時に焦点を合わせた位置を記録しておき、画像を再生表示する際に、焦点を合わせた位置を拡大して画像を表示する技術が開示されている。
【０００８】
この技術を適用することにより、拡大表示された画像を参照することによって手ぶれが生じたか否かを確認することができる。
【特許文献１】特開２０００−２７８５７８公報
【発明の開示】
【発明が解決しようとする課題】
【０００９】
しかしながら、上記特許文献１に係る技術を適用した場合、手ぶれが生じたか否かを確認することはできるものの、以降の撮影時における手ぶれの発生を防止することはできない、という問題点があった。
【００１０】
すなわち、周知のように、手ぶれは撮影時におけるシャッター速度が遅くなるほど発生しやすくなる。一方、シャッター速度は、主に撮影時の周囲の明るさに応じて決定されるものなので、手ぶれが発生した撮影の時点における周囲の明るさと、次に撮影を行うときの周囲の明るさが余り変わらない場合には再度手ぶれが生じてしまう可能性が高い。特に、撮影者が同一である場合には、撮影時のデジタルカメラに対する操作状態（レリーズボタンへの押下力の付与状態やカメラの把持状態等）が余り変わらないため、この傾向は顕著となる。
【００１１】
しかしながら、上記特許文献１に係る技術では、シャッター速度については何ら考慮されておらず、以降の撮影時における手ぶれの発生を防止することはできない。
【００１２】
本発明は上記問題点を解消するためになされたものであり、手ぶれの発生を防止することのできるデジタルカメラ及びデジタルカメラの制御方法を提供することを目的とする。
【課題を解決するための手段】
【００１３】
上記目的を達成するために、請求項１記載のデジタルカメラは、撮影によって取得された被写体像を示す画像情報が記録された記録媒体と、前記被写体像の所定領域を所定倍率で拡大した拡大画像を示す拡大画像情報を前記画像情報に基づいて生成する生成手段と、前記拡大画像情報により示される拡大画像を表示する表示手段と、前記表示手段により表示された拡大画像に対する参照結果に応じて再度撮影を行うか否かを指示する指示情報を入力する指示入力手段と、前記指示情報が再度撮影を行うことを指示するものである場合に撮影時におけるシャッター速度を所定速度だけ速くするように制御する制御手段と、を備えている。
【００１４】
請求項１に記載のデジタルカメラによれば、撮影によって取得され、記録媒体に記録された被写体像を示す画像情報に基づいて、前記被写体像の所定領域を所定倍率で拡大した拡大画像を示す拡大画像情報が生成され、当該拡大画像情報により示される拡大画像が表示手段によって表示される。従って、表示手段により表示された拡大画像を参照することによって、撮影時における手ぶれの状態を確認することができる。
【００１５】
なお、上記記録媒体には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia(R)）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。また、上記表示手段には、ＬＣＤ、ＣＲＴディスプレイ、プラズマ・ディスプレイ、有機ＥＬディスプレイ等のディスプレイが含まれる。
【００１６】
ここで、本発明では、表示手段により表示された拡大画像に対する参照結果に応じて再度撮影を行うか否かを指示する指示情報が指示入力手段により入力され、制御手段により、当該指示情報が再度撮影を行うことを指示するものである場合に撮影時におけるシャッター速度が所定速度だけ速くなるように制御される。
【００１７】
すなわち、上記指示入力手段により再度撮影を行うことを指示する指示情報が入力される場合は手ぶれが生じている場合であり、そのままのシャッター速度で撮影を再度行っても再び手ぶれが生じてしまう可能性が高い。
【００１８】
そこで、本発明では、再度撮影を行うことが指示された場合にはシャッター速度をそれまでより速くしており、この結果として、それ以降の撮影時における手ぶれの発生を防止するようにしている。
【００１９】
このように、請求項１に記載のデジタルカメラによれば、撮影によって取得されて記録媒体に記録された被写体像を示す画像情報に基づいて、前記被写体像の所定領域を所定倍率で拡大した拡大画像を示す拡大画像情報を生成し、生成した前記拡大画像情報により示される拡大画像を表示し、表示した前記拡大画像に対する参照結果に応じて再度撮影を行うか否かを指示する指示情報を入力させ、入力された前記指示情報が再度撮影を行うことを指示するものである場合に撮影時におけるシャッター速度を所定速度だけ速くするように制御しているので、手ぶれの発生を防止することができる。
【００２０】
なお、本発明の前記制御手段は、請求項２に記載の発明のように、前記指示情報が再度撮影を行うことを指示するものである場合に、更に、前記画像情報を前記記録媒体から消去するように制御することが好ましい。これによって、再度の撮影によって不要となる画像情報を記録媒体から消去することができ、記録媒体の不要な残記憶容量の減少を防止することができる。
【００２１】
ところで、本発明においてシャッター速度を所定速度だけ速くした場合、その分だけ露光量が少なくなるため、適正な露出状態での撮影が行えなくなる可能性がある。
【００２２】
そこで、本発明の前記制御手段は、請求項３に記載の発明のように、前記指示情報が再度撮影を行うことを指示するものである場合に、更に、シャッター優先自動露出モードへ移行するように制御することが好ましい。これによって、シャッター速度の高速化に応じて絞りの状態が制御されるようになり、適正な露出状態での撮影を確実に行うことができる。
【００２３】
更に、本発明は、請求項４記載の発明のように、前記画像情報を、予め設定された合焦領域を対象として合焦制御が行われて取得されたものとし、前記所定領域を、前記合焦領域の一部又は全部を含む領域とすることが好ましい。これによって、焦点が合っている領域の拡大画像を参照して手ぶれの状態を確認することができるため、手ぶれの状態を、より確実に確認することができる。
【００２４】
一方、上記目的を達成するために、請求項５記載のデジタルカメラの制御方法は、撮影によって取得されて記録媒体に記録された被写体像を示す画像情報に基づいて、前記被写体像の所定領域を所定倍率で拡大した拡大画像を示す拡大画像情報を生成し、生成した前記拡大画像情報により示される拡大画像を表示し、表示した前記拡大画像に対する参照結果に応じて再度撮影を行うか否かを指示する指示情報を入力させ、入力された前記指示情報が再度撮影を行うことを指示するものである場合に撮影時におけるシャッター速度を所定速度だけ速くするように制御するものである。
【００２５】
従って、請求項５に記載のデジタルカメラの制御方法によれば、請求項１に記載の発明と同様にデジタルカメラを作用させることができるので、請求項１記載の発明と同様に、手ぶれの発生を防止することができる。
【発明の効果】
【００２６】
本発明に係るデジタルカメラ及びデジタルカメラの制御方法によれば、撮影によって取得されて記録媒体に記録された被写体像を示す画像情報に基づいて、前記被写体像の所定領域を所定倍率で拡大した拡大画像を示す拡大画像情報を生成し、生成した前記拡大画像情報により示される拡大画像を表示し、表示した前記拡大画像に対する参照結果に応じて再度撮影を行うか否かを指示する指示情報を入力させ、入力された前記指示情報が再度撮影を行うことを指示するものである場合に撮影時におけるシャッター速度を所定速度だけ速くするように制御しているので、手ぶれの発生を防止することができる、という効果が得られる。
【発明を実施するための最良の形態】
【００２７】
以下、図面を参照して、本発明を実施するための最良の形態について詳細に説明する。
【００２８】
まず、図１を参照して、本形態に係るデジタルカメラ１０の外観上の構成を説明する。同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン５６Ａと、電源スイッチ５６Ｂと、が備えられている。
【００２９】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３０】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３１】
なお、本実施の形態に係るデジタルカメラ１０は、指定されたシャッター速度値と被写体の明るさによって適正な絞り値が自動的に決定されるシャッター優先ＡＥモードと、指定された絞り値と被写体の明るさによってシャッター速度が自動的に決定される絞り優先ＡＥモードの何れかのモードが選択的に設定可能とされており、ＡＥ機能が働く場合は、設定されているＡＥモードにて露出状態が設定されることになる。
【００３２】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００３３】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、ＬＣＤ３０に画像を表示させる際に押圧操作されるＤＩＳＰキー５６Ｈと、が備えられている。
【００３４】
次に、図２を参照して、本実施の形態に係るデジタルカメラ１０の電気系の構成を説明する。
【００３５】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３６】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３８】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像の輝度の高周波成分を示すＡＦ評価値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３９】
更に、デジタルカメラ１０は、スマートメディア（Smart Media(R)）により構成された記録メディア４２Ａをデジタルカメラ１０でアクセス可能とするためのメディアコントローラ４２と、を含んで構成されている。
【００４０】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００４１】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００４２】
なお、ＣＰＵ３２は、ＡＦ検出回路３４に対し、ＡＦ評価値の検出対象とするエリア（以下、「フォーカスエリア」という。）として撮像された画像の一部のエリアを指定することにより、当該画像内の任意の分割エリアにおけるＡＦ評価値を取得することができる。すなわち、本実施の形態に係るデジタルカメラ１０は、フォーカスエリアをユーザによって指定する機能を有するものとして構成されている。
【００４３】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４４】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４５】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４６】
ＣＰＵ３２は、光学ズーム倍率を変更する際にはズームモータを駆動制御して光学ユニット１３に含まれるレンズ１２の焦点距離を変化させる。
【００４７】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４８】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ、キャンセルキー５６Ｇ及びＤＩＳＰキー５６Ｈを含む操作部５６はＣＰＵ３２に接続されており、ＣＰＵ３２は、これら操作部５６の各々に対する操作状態を常時把握できる。
【００４９】
なお、本実施の形態に係るデジタルカメラ１０はＥｘｉｆ（Exchangeable Image File Format）規格に対応しており、撮影によって得られたデジタル画像データはＥｘｉｆ規格の電子化ファイル（画像ファイル）として記録メディア４２Ａに記憶される。そして、メニューキー５６Ｅの押圧操作に応じてＬＣＤ３０に表示されるメインメニュー画面上でＥｘｉｆ規格の画像ファイルに含まれるタグ領域に記憶したい情報を予め設定しておくことにより、それ以降の撮影によって得られた画像ファイルのタグ領域に当該情報を記憶することができる。
【００５０】
すなわち、図３に示すように、本実施の形態に係るデジタルカメラ１０において、撮影により得られて記録メディア４２Ａに記憶される画像ファイル６０はＥｘｉｆ規格に対応しているため、スタートコード領域６０Ａ、タグ領域６０Ｂ、サムネイル画像領域６０Ｃ、及び主画像領域６０Ｄが含まれている。ここで、タグ領域６０Ｂには、メインメニュー画面上で予め設定された各種情報が記憶されることになる。
【００５１】
なお、タグ領域６０Ｂに記憶可能な情報として、本実施の形態では、当該画像ファイルを得るための撮影に関する撮影情報（ストロボの発光／未発光を示す情報、絞りの状態を示す情報、撮影日時を示す情報等）や、デジタルカメラ１０で設定されていた撮影条件（マニュアル撮影、オート撮影、プログラム撮影、マクロ撮影、移動体撮影、夜景撮影、人物撮影等）を示す情報等が予め設定できるものとして構成されている。
【００５２】
また、本実施の形態に係るデジタルカメラ１０では、タグ領域６０Ｂの所定領域に、撮影時において適用されたフォーカスエリアの位置を示す情報（以下、「フォーカスエリア情報」という。）が記憶されるように予め設定されている。なお、本実施の形態では、当該フォーカスエリア情報として、画像ファイルに含まれるデジタル画像データ上のフォーカスエリアの位置を示す座標情報が記憶される。
【００５３】
次に、本実施の形態に係るデジタルカメラ１０の作用を説明する。まず、撮影モードが設定されている場合の全体的な処理の流れについて説明する。
【００５４】
まず、ＣＣＤ１４による光学ユニット１３を介した撮像が行われ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５５】
画像入力コントローラ２０は内蔵しているラインバッファにＡＤＣ１８から順次入力されるデジタル画像データを蓄積して一旦第２メモリ４０の所定領域に格納する。
【００５６】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５７】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５８】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施の形態では、ＪＰＥＧ形式）で圧縮した後に記録メディア４２ＡにＥｘｉｆ規格の画像ファイルとして記憶する。この際、当該画像ファイルのタグ領域には、予めメインメニュー画面上で当該タグ領域に記憶すべき情報として設定された情報が記憶されることになる。
【００５９】
本実施の形態に係るデジタルカメラ１０では、フォーカスエリア情報がタグ領域に記憶されるように予め設定されているため、撮影によって得られた画像ファイルは、タグ領域に対して、少なくともフォーカスエリア情報が記憶されたものとなる。
【００６０】
なお、レリーズボタン５６Ａを操作する際にユーザは、必要に応じて所望のファーカスエリアを十字カーソルボタン５６Ｄに対する操作により指定する。これにより、所望の位置にピントの合った画像を得ることができる。なお、ユーザによりフォーカスエリアが指定されなかった場合には、撮像された画像の中心を含む所定サイズのエリアがデフォルトのフォーカスエリアとして適用される。
【００６１】
次に、再生モードが設定されている場合の全体的な処理の流れについて、図４を参照しつつ説明する。なお、図４は、再生モードが設定されているときにデジタルカメラ１０のＣＰＵ３２により実行される再生モード処理プログラムの処理の流れを示すフローチャートである。
【００６２】
まず、ステップ１００では、記録メディア４２Ａに記憶されている画像ファイルにおける最後の撮影によって得られた画像ファイルにより示される被写体像をＬＣＤ３０に再生表示する。なお、最後の撮影によって得られた画像ファイルは、記録メディア４２Ａのディレクトリにおける全ての画像ファイルに対応する更新日情報及び更新時刻情報を参照し、最も新しい日時を示す画像ファイルとして特定することができる。なお、各画像ファイルのタグ領域に撮影日時を示す情報を記憶するように予め設定しておくことにより、当該情報を参照することによって特定する形態とすることもできる。
【００６３】
図５には、本ステップ１００の処理によってＬＣＤ３０に表示される画像の一例が示されている。同図に示すように、当該画像として、本実施の形態に係るデジタルカメラ１０では、最後の撮影によって得られた画像ファイルにより示される被写体像が表示されると共に、表示されている被写体像の手ぶれの状態を確認するためのモードである手ぶれ確認モードへの移行を指示するためのキーがＤＩＳＰキー５６Ｈである旨を示すメッセージが表示される。
【００６４】
当該画像がＬＣＤ３０により表示されると、ユーザは、手ぶれ確認モードへの移行を指示する場合にはＤＩＳＰキー５６Ｈを押圧操作する。また、ユーザは、ＬＣＤ３０に表示する被写体像のコマ送りを指示する場合には、このとき表示されている被写体像より前に撮影された被写体像を表示させるときには十字カーソルボタン５６Ｄの左方向矢印キーを、後に撮影された被写体像を表示させるときには十字カーソルボタン５６Ｄの右方向矢印キーを、各々押圧操作する。更に、ユーザは、手ぶれ確認モードへの移行及びコマ送り以外の処理の実行を指示する場合には、当該処理の実行を指示するための操作を行う。以上のようなユーザによる操作が行われると、当該操作に応じた指示情報がＣＰＵ３２に入力される。
【００６５】
そこで、次のステップ１０２では、当該指示情報の入力待ちを行うことにより、ユーザによる指示操作待ちを行い、次のステップ１０４では、ユーザによる指示がコマ送りであったか否かを判定し、肯定判定となった場合はステップ１０６に移行してユーザにより操作されたキー（本実施の形態では、十字カーソルボタン５６Ｄの左方向矢印キー又は右方向矢印キー）に応じてＬＣＤ３０に表示している被写体像を更新し、その後に上記ステップ１０２に戻る。
【００６６】
一方、上記ステップ１０４において否定判定された場合はステップ１０８に移行し、ユーザによる指示が手ぶれ確認モードへの移行であったか否かを判定して、否定判定となった場合はステップ１１０に移行し、ユーザによる指示に応じた処理を実行した後に上記ステップ１０２に戻り、肯定判定となった場合にはステップ１１２に移行する。
【００６７】
ステップ１１２では、ＬＣＤ３０に表示されている被写体像に対応する画像ファイルのタグ領域６０Ｂからフォーカスエリア情報を読み出し、次のステップ１１４では、読み出したフォーカスエリア情報により示されるフォーカスエリアの位置が含まれる領域で、かつ所定サイズとされた矩形領域に対応する画素データ群を当該画像ファイルにおける主画像領域６０Ｄから読み出し、当該画素データ群により示される画像を所定倍率で拡大するための拡大処理を行う。
【００６８】
なお、本実施の形態では、上記矩形領域のサイズとして、ＬＣＤ３０に表示されている被写体像における縦方向及び横方向の各サイズに対して１５％のサイズを適用している。また、本実施の形態では、上記所定倍率として、被写体像の縦方向及び横方向に対して６倍を適用している。従って、上記拡大処理によって得られる被写体像のＬＣＤ３０での表示サイズは、被写体像全体の表示サイズに対して９０％の面積となる。
【００６９】
また、本実施の形態では、上記拡大処理の手法として、上記画素データ群の各画素毎に、拡大倍率の値の数だけ横方向及び縦方向に当該画素の画素データを配置する手法を適用している。これにより、デジタルカメラの分野で従来から広く採用されている電子ズーム（デジタル・ズームとも呼ばれる。）で一般に行われている、各画素間の拡大処理後の画素データを補間処理によって生成する手法を適用する場合に比較して、手ぶれの状態が判断しやすくなる。
【００７０】
次のステップ１１６では、上記ステップ１１４による処理によって得られたデジタル画像データにより示される拡大画像をＬＣＤ３０に表示する。
【００７１】
図６には、本ステップ１１６の処理によってＬＣＤ３０に表示される画像の一例が示されている。同図に示すように、当該画像として、本実施の形態に係るデジタルカメラ１０では、上記拡大画像が表示されると共に、手ぶれ確認モードを実行中である旨のメッセージが表示される。また、上記拡大画像の上・下・左・右のスクロール方向を示す４つのマーク（同図では、スクロールの方向を頂点の方向で示す２等辺３角形）が当該拡大画像の周辺部近傍に各々表示されると共に、当該拡大画像の下部に対して、再撮影を行うことを指示するためのキーが実行キー５６Ｆであり、手ぶれ確認モードの終了を指示するためのキーがキャンセルキー５６Ｇである旨を示すメッセージが表示される。
【００７２】
当該画像がＬＣＤ３０により表示されると、ユーザは、拡大画像をスクロールさせる場合には、上記マークにより示されるスクロール方向と同一の方向を示す十字カーソルボタン５６Ｄの矢印キーを押圧操作する。また、ユーザは、拡大画像を参照した結果、手ぶれの程度が高すぎる等の理由により再撮影を行うものと判断した場合には実行キー５６Ｆを押圧操作する。更に、ユーザは、拡大画像を参照した結果、手ぶれの程度が余り高くない等の理由により再撮影を行うことなく手ぶれ確認モードを終了するものと判断した場合にはキャンセルキー５６Ｇを押圧操作する。以上のようなユーザによる操作が行われると、当該操作に応じた指示情報がＣＰＵ３２に入力される。
【００７３】
そこで、次のステップ１１８では、当該指示情報の入力待ちを行うことにより、ユーザによる指示操作待ちを行い、次のステップ１２０では、ユーザによる指示が拡大画像のスクロール表示であったか否かを判定し、肯定判定となった場合はステップ１２２に移行してユーザにより操作されたキー（本実施の形態では、十字カーソルボタン５６Ｄの各方向の矢印キー）に応じた方向にＬＣＤ３０に表示している拡大画像をスクロール表示させるための処理を行うことにより、表示している拡大画像を更新し、その後に上記ステップ１１８に戻る。
【００７４】
一方、上記ステップ１２０において否定判定された場合はステップ１２４に移行し、ユーザによる指示が再撮影を行うことであったか否かを判定して、否定判定となった場合はユーザによる指示が手ぶれ確認モードを終了することであったものと判断して上記ステップ１００に戻り、肯定判定となった場合にはステップ１２６に移行する。
【００７５】
ステップ１２６では、ＬＣＤ３０に表示されている拡大画像に対応する画像ファイルを記録メディア４２Ａから消去し、次のステップ１２８では、シャッター速度が、この時点で設定されている速度より所定速度（ここでは、シャッター速度の可変範囲における１０％に対応する速度）だけ速くなるように設定する。なお、本実施の形態では、当該シャッター速度の高速化を、メカニカル・シャッターの速度を高速化することにより行っているが、これに限らず、電子シャッターの速度を高速化することにより行う形態や、メカニカル・シャッター及び電子シャッターの双方の速度の組合せにより高速化する形態とすることもできる。
【００７６】
次のステップ１３０では、デジタルカメラ１０のＡＥモードをシャッター優先ＡＥモードに移行させ、次のステップ１３２にて、シャッター優先ＡＥモードに移行した旨を示すメッセージをＬＣＤ３０に表示した後に上記ステップ１００に戻る。
【００７７】
なお、本再生モード処理は、デジタルカメラ１０の電源スイッチ５６Ｂがオフされた時点で実行が終了する。
【００７８】
また、本再生モード処理のステップ１１６の処理によってＬＣＤ３０に表示された拡大画面（図６参照）上で再撮影を行う指示入力を行った場合に、ユーザは、撮影モードに設定した後に再び撮影を行う。このとき、デジタルカメラ１０は、本再生モード処理のステップ１２８以降の処理によってシャッター速度がそれまでより速くなるように設定しているので、手振れの発生を防止することができる。
【００７９】
以上詳細に説明したように、本実施の形態では、撮影によって取得されて記録メディア４２Ａに記録された被写体像を示すデジタル画像データに基づいて、前記被写体像の所定領域を所定倍率で拡大した拡大画像を示すデジタル画像データを生成し、生成したデジタル画像データにより示される拡大画像を表示し、表示した前記拡大画像に対する参照結果に応じて再度撮影を行うか否かを指示する指示情報を入力させ、入力された前記指示情報が再度撮影を行うことを指示するものである場合に撮影時におけるシャッター速度を所定速度だけ速くするように制御しているので、手ぶれの発生を防止することができる。
【００８０】
また、本実施の形態では、上記指示情報が再度撮影を行うことを指示するものである場合に、拡大表示したデジタル画像データに対応する画像ファイルを記録メディア４２Ａから消去するように制御しているので、再度の撮影によって不要となる画像ファイルを記録メディア４２Ａから消去することができ、記録メディア４２Ａの不要な残記憶容量の減少を防止することができる。
【００８１】
また、本実施の形態では、上記指示情報が再度撮影を行うことを指示するものである場合に、シャッター優先ＡＥモードへ移行するように制御しているので、シャッター速度の高速化に応じて絞りの状態が制御されるようになり、適正な露出状態での撮影を確実に行うことができる。
【００８２】
更に、本実施の形態では、上記拡大画像としてフォーカスエリアを含む領域としたので、焦点が合っている領域の拡大画像を参照して手ぶれの状態を確認することができ、手ぶれの状態を、より確実に確認することができる。
【００８３】
なお、本実施の形態では、フォーカスエリア情報をＥｘｉｆ規格の画像ファイルにおけるタグ領域に記憶しておく場合について説明したが、本発明はこれに限定されるものではなく、例えば、画像ファイルのファイル名に含めておく形態や、画像ファイルとは別の電子化ファイル（一例としてテキスト・ファイル）により、対応する画像ファイルに関連付けて記憶しておく形態とすることもできる。この場合も、本実施の形態と同様の効果を奏することができる。
【００８４】
また、本実施の形態では、手ぶれ確認モードへの移行を指示するためのキーとしてＤＩＳＰキー５６Ｈを適用した場合について説明したが、本発明はこれに限定されるものではなく、例えば、比較的高級な機種に設けられていることの多いＡＦ／ＭＦ切り替えボタンやワンプッシュＡＦボタンを適用する形態とすることもできる。この場合も、本実施の形態と同様の効果を奏することができる。
【００８５】
また、本実施の形態に係るデジタルカメラ１０の構成（図１、図２参照。）は一例であり、本発明の主旨を逸脱しない範囲内において適宜変更可能であることは言うまでもない。
【００８６】
更に、本実施の形態において説明した再生モード処理プログラム（図４参照。）の処理の流れも一例であり、本発明の主旨を逸脱しない範囲内において適宜変更可能であることは言うまでもない。
【図面の簡単な説明】
【００８７】
【図１】実施の形態に係るデジタルカメラ１０の外観を示す外観図である。
【図２】デジタルカメラ１０の電気系の構成を示すブロック図である。
【図３】実施の形態に係る画像ファイルの構成を示す模式図である。
【図４】実施の形態に係る再生モード処理プログラムの処理の流れを示すフローチャートである。
【図５】実施の形態に係る通常表示画面の表示状態例を示す概略図である。
【図６】実施の形態に係る拡大表示画面の表示状態例を示す概略図である。
【符号の説明】
【００８８】
１０    デジタルカメラ
３０    ＬＣＤ（表示手段）
３２    ＣＰＵ（生成手段、制御手段）
４２Ａ    記録メディア（記録媒体）
５６Ｆ    実行キー（指示入力手段）
【図１】
2005086744.tif 000003
【図２】
2005086744.tif 000004
【図３】
2005086744.tif 000005
【図４】
2005086744.tif 000006
【図５】
2005086744.tif 000007
【図６】
2005086744.tif 000008